(57)【要約】【課題】本発明は除湿機などの空調装置の吹出口に使用される風向変更装置に関するもので、風向変更装置の風向変更調節を更に向上することが出来るものである。【解決手段】そしてこの目的を達成するために本発明は、上方に開口する送風口３を有する本体ケース１と、この本体ケース１内に設けた送風手段と、送風口３の上方を、所定間隔をおいて覆った可動自在のルーバー１１とを備え、ルーバー１１には、上下方向に風向を変化させる第１の風向変更手段１２と、左右方向に風向を変化させる第２の風向変更手段１３とを設け、第１の風向変更手段１２は、ルーバー１１の送風先端側に回動自在に装着し、第２の風向変更手段１３は、ルーバー１１の下側に回動自在に装着し、第１の風向変更手段１２は回動すると、第２の風向変更手段１３の一部の上部および下部に移動可能とする構成とした風向変更装置。【選択図】図３
2012193885.tif 000002
【特許請求の範囲】
【請求項１】
上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、ルーバーの送風先端側に回動自在に装着し、前記第２の風向変更手段は、ルーバーの下側に回動自在に装着し、前記第１の風向変更手段は回動すると、前記第２の風向変更手段の一部の上部および下部に移動可能とする構成とした風向変更装置。
【請求項２】
前記第１の風向変更手段は、第１の風向板部と、前記第１の風向板部の両側に第１の風向板支持受部とを備え、前記ルーバーの送風先端部の両側に、送風先端方向に伸びる第１の風向板支持部を設け、これら両側の前記第１の風向板支持部間に、前記第１の風向変更手段を軸支させた請求項１に記載の風向変更装置。
【請求項３】
前記第２の風向変更手段は、第２の風向板部と、前記第２の風向板部の第２ルーバー支軸部と、前記第２の風向板部の第２ルーバー軸穴部と、第２の風向板支持枠部とから形成し、前記ルーバーと前記第２の風向板支持枠部との間に、前記第２の風向変更手段を軸支させた請求項１または２に記載の風向変更装置。
【請求項４】
前記第２の風向板部は、前記第２ルーバー支軸部を備えた第２の風向板後部と、前記第２の風向板後部から送風先端方向に延びる第２の風向板前部とから形成し、前記第２の風向板前部は、前記第２の風向板後部の上部に位置し、前記第１の風向変更手段は回動すると、前記第２の風向板後部の下部に移動可能とする構成とした請求項１から３のいずれか一つに記載の風向変更装置。
【発明の詳細な説明】
【技術分野】
【０００１】
本発明は、除湿機などの空調装置の吹出口に使用される風向変更装置に関する。
【背景技術】
【０００２】
風向変更装置は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段を設け、前記第１の風向変更手段は、ルーバーの送風先端側に回動自在に装着した構成となっていた（例えば、特許文献１参照）。
【先行技術文献】
【特許文献】
【０００３】
【特許文献１】特開２００９−１８９９７２号公報
【発明の概要】
【発明が解決しようとする課題】
【０００４】
上記従来例における課題としては、風向変更装置による風向方向調節の更なる向上が求められていることである。
【０００５】
すなわち、使用者が風向を変更する場合に、第１の風向変更手段を回動させることにより、上下方向の風向調節できるものであったが、左右方向へは風向調節ができないものであった。
【０００６】
そこで本発明は、風向変更装置の風向方向調節の更なる向上を目的とするものである。
【課題を解決するための手段】
【０００７】
そしてこの目的を達成するために本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、ルーバーの送風先端側に回動自在に装着し、前記第２の風向変更手段は、ルーバーの下側に回動自在に装着し、前記第１の風向変更手段は回動すると、前記第２の風向変更手段の一部の上部および下部に移動可能とする構成としたものであり、これにより初期の目的を達成するものである。
【発明の効果】
【０００８】
以上のように本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、ルーバーの送風先端側に回動自在に装着し、前記第２の風向変更手段は、ルーバーの下側に回動自在に装着し、前記第１の風向変更手段は回動すると、前記第２の風向変更手段の一部の上部および下部に移動可能とする構成としたものであり、風向変更装置の風向方向調節を更に向上することが出来るものである。
【０００９】
すなわち、送風手段によって、本体ケースの送風口から上方向に吹き出した空気が、ルーバーの下面に当たり、風向が変化し、その空気が第１の風向変更手段によって、更に、上下方向に風向を変化させる。そして、ルーバーは、左右方向に風向を変化させる第２の風向変更手段を備えている。ここで、第２の風向変更手段は、ルーバーの下側に回動自在に装着し、第１の風向変更手段は回動すると、第２の風向変更手段の一部の上部および下部に移動可能である。すなわち、第１の風向変更手段の位置にかかわらず、第２の風向変更手段は、ルーバーに沿って流れる位置と、第１の風向変更手段に沿って流れる位置との２箇所にわたって、左右方向に風向を変化させることができるものである。
【００１０】
結果として、風向変更装置の風向方向調節を更に向上することが出来るものである。
【図面の簡単な説明】
【００１１】
【図１】本発明の実施形態１の風向変更装置の斜視図
【図２】同風向変更装置の本体の断面概略を示す図
【図３】同風向変更装置のルーバー部分の斜視図
【図４】同風向変更装置のルーバー部分の分解斜視図
【図５】同風向変更装置のルーバーの動作を説明する概略図
【図６】同風向変更装置のルーバーの重合状態を示す概略断面を示す図
【発明を実施するための形態】
【００１２】
（実施の形態１）
以下本発明の一実施形態を添付図面を用いて説明する。
【００１３】
図１および２において、１は縦長箱状の本体ケースで、この本体ケース１の前面には吸込口２、上面の前面側には送風口３が設けられている。
【００１４】
また本体ケース１内には、圧縮機（図示せず）と、凝縮器４、蒸発器５を備えた冷凍サイクルと、除湿ローター６からなる除湿手段が設けられている。
【００１５】
すなわち、上記先行文献にも類似する構成が記載されているので、ここでは説明を簡略化するが、本実施形態の除湿動作は以下のようになっている。先ずモーター７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１６】
また、送風手段であるファン８により本体ケース１内に吸入された空気の一部は、加熱され、相対湿度が低くなった状態で除湿ローター６の放出部を通過し、この時この放出部からの放出湿度を伴って次に蒸発器５へと誘導され、この蒸発器５で冷却され、ここで湿気を結露させる。この結露水はドレインパン９を介してタンク１０中に溜められる。
【００１７】
また、蒸発器５で結露しなかった湿気は除湿ローター６の吸湿部で吸湿され、この吸湿部は除湿ローター６の回転によりその後上記放出部となり、これにより捕らえた湿気を加熱空気に再放出させ、次に蒸発器５で冷却し、湿気を結露させて除去する。
【００１８】
そしてこのような除湿動作により、乾燥した空気が生成され、この乾燥空気が上述の送風口３から本体ケース１後方の室内に送風されるようになっている。
【００１９】
したがって、この送風部分に洗濯物を干しておれば、乾燥が効率的に進むものとなるのである。
【００２０】
本実施形態における特徴点は、図３から図６に示すように、送風口３に設けたルーバー１１部分にある。本体ケース１は、縦長で左右方向が前後方向より長い箱形状で、上面には、上方に開口する略横長四角形状の送風口３を有し、この送風口３の上方に所定間隔をおいて、送風口３を覆ったルーバー１１を備えている。このルーバー１１は、回動手段である電動機によって上下方向に往復回動し、送風口３から吹き出す空気の風向を変化させている。更に、このルーバー１１には、上下方向に風向を変化させる第１の風向変更手段１２と、左右方向に風向を変化させる第２の風向変更手段１３とを設けている。第１の風向変更手段１２は、ルーバー１１の送風先端側に回動自在に装着し、第２の風向変更手段１３は、ルーバー１１の下側に回動自在に装着している。ここで、第１の風向変更手段１２は回動すると、第２の風向変更手段１３の一部の上部および下部に移動可能なものである。
【００２１】
すなわち、送風手段によって、本体ケース１の送風口３から上方向に吹き出した空気が、ルーバー１１の下面に当たり、風向が変化し、その空気が第１の風向変更手段１２によって、更に、上下方向に風向を変化させる。そして、ルーバー１１は、左右方向に風向を変化させる第２の風向変更手段１３を備えている。ここで、第２の風向変更手段１３は、ルーバー１１の下側に回動自在に装着しており、第１の風向変更手段１２は回動すると、第２の風向変更手段１３の一部の上部および下部に移動可能である。すなわち、第１の風向変更手段１２の位置にかかわらず、第２の風向変更手段１３は、ルーバー１１に沿って流れる位置と、第１の風向変更手段１２に沿って流れる位置との２箇所にわたって、左右方向に風向を変化させることができるものである。
【００２２】
結果として、風向変更装置の風向方向調節を更に向上することが出来るものである。
【００２３】
更に、第１の風向変更手段１２について詳しく説明すると、第１の風向変更手段１２は、第１の風向板部１４と、第１の風向板部１４の両側に第１の風向板支持受部１５とを備え、ルーバーの送風先端部の両側に、送風先端方向に伸びる第１の風向板支持部１６を設け、これら両側の第１の風向板支持部１６間に、第１の風向変更手段１２を軸支させたものである。
【００２４】
具体的には、ルーバー１１は、本体ケース１における左右方向に長い略横長四角形状の平板で、この平板の左右両端には、外方に延びた円柱形状の軸部１７を備えている。この軸部１７は、ルーバー１１を送風口３に軸支させるものである。送風先端部の両側には、送風先端方向に伸びる第１の風向板支持部１６を設けている。これら両側の第１の風向板支持部１６間には、第１の風向板支持部１６から内方へ延びた円柱形状の軸部１８を備えている。この軸部１８は、第１の風向変更手段１２を軸支させたものである。
【００２５】
第１の風向変更手段１２は、本体ケース１における左右方向に長い略横長四角形状の平板である第１の風向板部１４と、この第１の風向板部１４の下面の両側に第１の風向板支持受部１５を備えている。この第１の風向板支持受部１５は、第１の風向板部１４の下面から下方に延びた平板形状の支持部１９と、この支持部１９の略中央に円形の孔である軸受部２０を設けている。この軸受部２０に、第１の風向板支持部１６から内方へ延びた軸部１８が回動自在に入り、ルーバー１１に第１の風向変更手段１２が装着される。
【００２６】
このように、第１の風向変更手段１２は、支持部１９の略中央の孔である軸受部２０を中心に、第２の風向変更手段１３の一部の上部から、第２の風向変更手段１３より本体ケース１における前面側を移動し、第２の風向変更手段１３の一部の下部に移動できるものある。すなわち、第２の風向変更手段１３の一部の上部に第１の風向変更手段１２が位置する場合は、第１の風向変更手段１２は、ルーバー１１と一体となっている。その状態から、第１の風向変更手段１２を支持部１９の軸受部２０を中心に回転させると、第１の風向変更手段１２は、ルーバー１１から離れながら、下方へ傾斜する。この傾斜によって、風向を下方へ変更できる。更に回転させると、第２の風向変更手段１３の一部の下部に移動でき、風向を上方へ変更できる。つまり、第１の風向変更手段１２を支持部１９の軸受部２０を中心に回転させることによって、容易に風向を変更できるものである。
【００２７】
また、第２の風向変更手段１３について詳しく説明すると、第２の風向変更手段１３は、第２の風向板部２１と、第２の風向板部２１の上方の第２のルーバー支軸部２２と、第２の風向板部２１の下方の第２のルーバー軸穴部２４と、第２のルーバー軸穴部２４に挿入する左右回転軸２５を一体に形成した第２の風向板支持枠部２３とから形成し、ルーバー１１と第２の風向板支持枠部２３との間に、第２の風向板部２１を軸支させたものである。
【００２８】
具体的には、第２の風向板部２１は、略横長四角形状の垂直面と平行に位置する平板で、この第２の風向板部２１の長手方向の辺部である上端部と下端部とから上方に延びた円柱形状の第２のルーバー支軸部２２と下方には左右回転軸２５を挿入するための第２のルーバー軸穴部２４とを備えている。
【００２９】
なお、連結棒３０に形成した第２の風向板固定穴に第２の風向板部２１に設けた連結用突起２９を圧入状態で嵌入させ、第２の風向板部２１が一対として動作するようにしている。
【００３０】
第２の風向板支持枠部２３は、第２の風向板部２１を軸支させるための左右回転軸２５を一体に形成した略コの字形状である。ルーバー１１が水平状態において、この第２の風向板支持枠部２３は、本体ケース１における前面から見ると、上が開口した略コの字形状である。この第２の風向板支持枠部２３の下端部には、第２の風向板部２１を軸支させるための左右回転軸２５を複数設けている。
【００３１】
第２のルーバー支軸部２２に対向して、ルーバー１１の下面には、ルーバー１１の下面から延びた第２のルーバー支軸部２２を支持するための支持穴（図示せず）を備えている。
【００３２】
これらの支持穴と第２の風向板部２１の上端部の第２のルーバー支軸部２２と、第２の風向板部２１の下端部の第２のルーバー軸穴部２４と左右回転軸２５を装着することにより、第２の風向板部２１が第２の風向板支持枠部２３に回動自在となるものである。
【００３３】
なお、第２の風向板支持枠部２３にルーバー１１を一体化するための固定柱３１を設け、中央と両端の３箇所にて溶着固定している。
【００３４】
すなわち、第２の風向板部２１を稼動させることにより、本体ケース１における左右方向に容易に風向を変更できるものである。
【００３５】
また、第２の風向板部２１は、第２のルーバー支軸部２２を備えた第２の風向板後部２６と、第２の風向板後部２６から送風先端方向に延びる第２の風向板前部２７とから形成し、第２の風向板前部２７は、第２の風向板後部２６の上部に位置し、第１の風向変更手段１２は回動すると、第２の風向板前部２７の下部に移動可能とする構成としたものである。
【００３６】
具体的には、第２の風向板部２１は、第２のルーバー支軸部２２を備えた略横長四角形状の平板である第２の風向板後部２６と、この第２の風向板後部２６から送風先端方向に延びる略横長四角形状の平板である第２の風向板前部２７とから形成している。この第２の風向板前部２７の上下方向の寸法は、第２の風向板後部２６の上下方向の寸法より短いものである。そして、第２の風向板前部２７は、第２の風向板後部２６の上部に位置する構成としたものである。つまり、第２の風向板前部２７の下部で、第２の風向板後部２６の送風先端方向には、空間部２８を有するものである。ここで、第１の風向変更手段１２は回動し、第２の風向板前部２７の下部に移動すると、第１の風向変更手段１２の先端部が空間部２８に位置するものである。
【００３７】
すなわち、送風手段によって、本体ケース１の送風口３から上方向に吹き出した空気が、ルーバー１１の下面に当たり、風向が変化し、その空気が第１の風向変更手段１２によって、更に、上下方向に風向を変化させる。そして、ルーバー１１は、本体ケース１における左右方向に風向を変化させる第２の風向変更手段１３を備えている。ここで、第１の風向変更手段１２が回動し、第２の風向板前部２７の下部に移動すると、第１の風向変更手段１２の上部に第２の風向板前部２７が突出するものである。これにより、送風手段によって、本体ケース１の送風口３から上方向に吹き出した空気が、ルーバー１１の下面に当たり、上下方向へ風向が変化すると共に、第２の風向変更手段１３の第２の風向板後部２６によって本体ケース１における左右方向へ風向が変化し、更に、ルーバー１１の下面に沿って流れる空気は、第２の風向変更手段１３の第２の風向板前部２７によって本体ケース１における左右方向へ風向が変化し、第１の風向変更手段１２によって上下方向へ風向が変化するものである。つまり、ルーバー１１と第１の風向変更手段１２との２箇所で上下方向へ風向が変化でき、これらルーバー１１と第１の風向変更手段１２との間で、ルーバー１１の下面に沿って流れる風速の速い空気は、第２の風向変更手段１３である第２の風向板後部２６と第２の風向板前部２７との両方で本体ケース１における左右方向に風向を変化させることが出来るものである。
【００３８】
また、第２の風向板前部２７の下方で、第２の風向板後部２６の送風先端方向には、空間部２８を有するものである。この空間部２８には、第１の風向変更手段１２を回転させると、第１の風向変更手段１２の先端部が入り込む。この状態でも第１の風向変更手段１２の下部には、まだ空間部２８の一部が残っている。ここで、ルーバー１１が上下に回動する場合に、本体ケース１の送風口３の周縁部が、この残っている空間部２８の一部に入り込めるので、ルーバー１１が上下に回動する範囲が広がるものである。
【００３９】
また、第１の風向変更手段１２の上部に第２の風向板前部２７が突出しているので、この突出している第２の風向板前部２７を摘んで、容易に本体ケース１における左右方向に風向を変化させることができる。
【産業上の利用可能性】
【００４０】
以上のように本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、ルーバーの送風先端側に回動自在に装着し、前記第２の風向変更手段は、ルーバーの下側に回動自在に装着し、前記第１の風向変更手段は回動すると、前記第２の風向変更手段の一部の上部および下部に移動可能とする構成としたものであり、風向変更装置の風向変更方向を更に向上することが出来るものである。
【００４１】
すなわち、送風手段によって、本体ケースの送風口から上方向に吹き出した空気が、ルーバーの下面に当たり、風向が変化し、その空気が第１の風向変更手段によって、更に、上下方向に風向を変化させる。そして、ルーバーは、左右方向に風向を変化させる第２の風向変更手段を備えている。ここで、第２の風向変更手段は、ルーバーの下側に回動自在に装着し、第１の風向変更手段は回動すると、第２の風向変更手段の一部の上部および下部に移動可能である。すなわち、第１の風向変更手段の位置にかかわらず、第２の風向変更手段は、ルーバーに沿って流れる位置と、第１の風向変更手段に沿って流れる位置との２箇所にわたって、左右方向に風向を変化させることができるものである。
【００４２】
結果として、風向変更装置の風向方向調節を更に向上することが出来るものである。
【００４３】
従って、家庭用や事務所用などの、除湿機などの空調装置の吹出口に使用される風向変更装置として活用が期待されるものである。
【符号の説明】
【００４４】
１    本体ケース
２    吸込口
３    送風口
４    凝縮器
５    蒸発器
６    除湿ローター
７    モーター
８    ファン
９    ドレインパン
１０  タンク
１１  ルーバー
１２  第１の風向変更手段
１３  第２の風向変更手段
１４  第１の風向板部
１５  第１の風向板支持受部
１６  第１の風向板支持部
１７  軸部
１８  軸部
１９  支持部
２０  軸受部
２１  第２の風向板部
２２  第２のルーバー支軸部
２３  第２の風向板支持枠部
２４  第２のルーバー軸穴部
２５  左右回転軸
２６  第２の風向板後部
２７  第２の風向板前部
２８  空間部
２９  連結用突起
３０  連結棒
３１  固定柱
【図１】
2012193885.tif 000003
【図２】
2012193885.tif 000004
【図３】
2012193885.tif 000005
【図４】
2012193885.tif 000006
【図５】
2012193885.tif 000007
【図６】
2012193885.tif 000008